(57)【要約】【課題】施工後においてその存在が目立ち難い目地材を提供する。【解決手段】化粧パネル２２と化粧パネル２４との間に現れている棒状の目地形成材１４はその全体が軟質樹脂で形成されているので、その幅を十分に狭くすることができる。また、目地形成材１４の高さは、化粧パネル２２，２４の厚みよりも僅かに高く設定されており、その基部には、括れ部１４ｂが形成されているので、施工時に目地形成材１４を２枚の化粧パネル２２，２４で強く挟持すると、目地形成材１４が均等に弾性変形し、化粧パネル２２，２４の表面側に僅かに突出した突出部１４ｃが化粧パネル２２，２４側へ流れて化粧パネル２２，２４の板縁を覆い隠す。したがって、化粧パネル２２，２４と目地材１０との間に影が生じることはなく、上述した目地形成材１４の幅狭効果とも相俟って施工後に目立ち難い目地材１０を提供することができる。【選択図】図１
2012241336.tif 000002
【特許請求の範囲】
【請求項１】
硬質樹脂または軟質樹脂からなり、その表面側に化粧パネルが配設される平板状の基礎パネルと、軟質樹脂からなり、前記基礎パネルの表面側にてその幅方向略中央部分に設けられ、その両側に前記化粧パネルがセットされてその端面が当接される棒状の目地形成材とを有しており、
前記目地形成材の基部には、前記化粧パネルとの当接面である側面から内側に凹んだ括れ部が形成されており、
前記目地形成材の高さは、前記化粧パネルの厚みよりも僅かに高く設定されていることを特徴とする目地材。
【請求項２】
硬質樹脂または軟質樹脂からなり、その表面側に化粧パネルが配設される平板状の基礎パネルと、軟質樹脂からなり前記基礎パネルの上面にてその幅方向一方端部に設けられ、その幅方向は壁面に沿って配設され、幅方向は前記化粧パネルがセットされることによってその端面が当接される棒状の目地形成材とを有しており、
前記目地形成材の幅方向一方端部の端面は、前記基礎パネルの幅方向一方端部の端面と面一か或いはやや外方に突出しており、
前記目地形成材の基部には、前記化粧パネルならびに前記壁面に対する当接面から内側に控えた括れ部が形成されており、
前記目地形成材の高さは、前記化粧パネルの厚みよりも僅かに高く設定されていることを特徴とする目地材。
【発明の詳細な説明】
【技術分野】
【０００１】
本発明は、施工後にその存在が目立ち難い目地材に関する。
【背景技術】
【０００２】
化粧パネルを壁面などの下地面に張設する際は、化粧パネルと化粧パネルとの間に隙間が生じるのを防止するために、化粧パネルと化粧パネルとの間の継ぎ目部分に目地材を配設することが一般に行われている。
【０００３】
その一例として、例えば特許文献１には、その幅方向略中央部分に突条部がその長手方向全長にわたって曲折形成されている硬質樹脂製の平板基材と、前記突条部の上面ならびに左右両側面に設けられ前記突条部と溶融一体化されている軟質樹脂製の目地形成材とで構成された目地材が開示されている。
【０００４】
この従来技術において、目地形成材を２枚の化粧パネルの間で挟み込むように化粧パネルと化粧パネルとの間に目地材を配設すると、各化粧パネルの端縁が軟質樹脂製の目地形成材と密着し、化粧パネルの継ぎ目部分において隙間が生じるのを防止することが可能となる。
【先行技術文献】
【特許文献】
【０００５】
【特許文献１】実開昭５９−３８３３０号公報（第１図）
【発明の概要】
【発明が解決しようとする課題】
【０００６】
従来の目地材においては、突条部の上面と左右両側面に目地形成材を設けるようにしているが、突条部は平板基材を曲折形成した構造のものであるため、その幅をある程度幅広のものにせざるを得ず、その表面に設けられている目地形成材も当然幅広なものとなってしまう。
【０００７】
しかも、従来の目地材は、突条部の高さが化粧パネルの厚みよりも低く設定されており、施工後に目地形成材の上面が化粧パネルの表面よりも一段下がったところに位置してしまうため、目地材と化粧パネルとの境界部分に影が出来てしまい、上述した幅広の目地形成材とも相俟って、化粧パネルの施工後において、化粧パネルと化粧パネルとの間から覗いている目地材が目立ってしまうという問題があった。
【０００８】
本発明は、かかる従来の問題点に鑑みてなされたものであり、施工後においてその存在が目立ち難い目地材を提供することを目的とする。
【課題を解決するための手段】
【０００９】
請求項１に記載した発明は、「硬質樹脂または軟質樹脂からなり、その表面側に化粧パネル２２，２４が配設される平板状の基礎パネル１２と、軟質樹脂からなり、基礎パネル１２の表面側にてその幅方向略中央部分に設けられ、その両側に化粧パネル２２，２４がセットされてその端面が当接される棒状の目地形成材１４とを有しており、目地形成材１４の基部には、化粧パネル２２，２４との当接面である側面１４ａから内側に凹んだ括れ部１４ｂが形成されており、目地形成材１４の高さは、化粧パネル２２，２４の厚みよりも僅かに高く設定されている」ことを特徴とする目地材１０である。
【００１０】
請求項２に記載の発明は、「硬質樹脂または軟質樹脂からなり、その表面側に化粧パネル２２が配設される平板状の基礎パネル１２と、軟質樹脂からなり基礎パネル１２の上面にてその幅方向一方端部に設けられ、その幅方向一方端側は壁面３４に沿って配設され、幅方向他方端側には化粧パネル２２がセットされることによってその端面が当接される棒状の目地形成材１４とを有しており、目地形成材１４の幅方向一方端部の端面は、基礎パネル１２の幅方向一方端部の端面と面一か或いはやや外方に突出しており、目地形成材１４の基部には、化粧パネル２２ならびに壁面３４に対する当接面から内側に控えた括れ部１４ｂが形成されており、目地形成材１４の高さは、化粧パネル２２の厚みよりも僅かに高く設定されている」ことを特徴とする目地材３０である。
【発明の効果】
【００１１】
請求項１に記載の目地材によれば、化粧パネルの敷設時に化粧パネルと化粧パネルとの間から覗く部分、すなわち、化粧パネルと化粧パネルとで挟持する部分が棒状の目地形成材だけで構成されているので、その幅を十分に狭くすることができる。
【００１２】
また、目地形成材の基部には、括れ部が形成されており、目地形成材のうち括れ部よりも当接面側の部分が自由に弾性変形できる。したがって、化粧パネルの敷設時に目地形成材を２枚の化粧パネルでその両側から強く挟持すると、目地形成材のうち括れ部から表面側の部分が均等に弾性変形して化粧パネルと密着する。
【００１３】
ここで、目地形成材は、その高さが化粧パネルよりも僅かに高く設定されている。したがって、目地形成材が弾性変形すると、化粧パネルの表面よりも僅かに突出している突出部が化粧パネル側へ流れ、化粧パネルの板縁を覆い隠す。したがって、化粧パネルと目地材との間において影が生じることはなく、上述した目地形成材の幅狭効果とも相俟って目地材の存在を非常に目立ち難いものとすることができる。
【００１４】
なお、請求項２に記載の構成とすれば、化粧パネルと壁面との間に適用した場合にも上述と同様の効果を得ることができるようになる。
【図面の簡単な説明】
【００１５】
【図１】本発明にかかる目地材を示す斜視図である。
【図２】本発明にかかる目地材を示す正面図である。
【図３】目地材の施工方法において、一方の化粧パネルを取り付けた状態を示す図である。
【図４】他方の化粧パネルを取り付けた状態を示す図である。
【図５】目地形成材の両側を２枚の化粧パネルで挟持している状態を示す図である。
【図６】本発明にかかる他の実施例の目地材を示す正面図である。
【図７】図６実施例の目地材の施工方法において、目地材を壁面の入隅部にセッティングした状態を示す図である。
【図８】化粧パネルを取り付けた状態を示す図である。
【図９】目地形成材を化粧パネルと壁面とで挟持している状態を示す図である。
【発明を実施するための形態】
【００１６】
以下、本発明を図面に従って説明する。本発明にかかる目地材は、図１〜５に示すように２枚の化粧パネルの間に敷設するタイプのもの（実施例１）と、図６〜９に示すように壁面と化粧パネルとの間に敷設するタイプのもの（実施例２）とが存在する。以下、それぞれの実施例について詳細に説明する。
【００１７】
［実施例１］
図１は、本発明にかかる目地材１０を示す斜視図であり、図２は目地材１０を示す正面図である。これらの図が示すように、本発明の目地材１０は、合成樹脂を素材として形成された押出材を所定寸法にて切り出したもので、基礎パネル１２と目地形成材１４とが一体的に構成されている。
【００１８】
基礎パネル１２は、幅広で薄肉の矩形板状部分（帯状部分）であり、その表面側（後述する目地形成材１４が取り付けられている側）であって幅方向両側の側縁は全長に亘って面取りがされている。基礎パネル１２の材質としては、ＡＢＳやポリプロピレン等の硬質樹脂あるいは、塩化ビニル等の軟質樹脂を採用することができ、本実施例では、軟質樹脂である塩化ビニルが採用されている。
【００１９】
基礎パネル１２の横幅の長さは、特に決まっているわけではないが、施工時において隣合う２枚の化粧パネル２２，２４の端部が基礎パネル１２にそれぞれ当接できる程度の長さがあれば良い。
【００２０】
基礎パネル１２の表面側であってその幅方向中央部分には、目地形成材１４がその長手方向に沿って延びるように設けられている。
【００２１】
目地形成材１４は、塩化ビニル等の軟質樹脂からなる棒状部分で、化粧パネル２２，２４との当接面である目地形成材１４の側面１４ａは、上述した基礎パネル１２に対して略垂直となっている。基礎パネル１２との接続部分であるその基部には、化粧パネル２２，２４との当接面である側面１４ａから内側に凹んだ括れ部１４ｂが形成されている。括れ部１４ｂの幅は、目地形成材１４の側面１４ａ間の幅よりも幅狭に設定されている。
【００２２】
目地形成材１４の上面であってその幅方向両側端部は、全長に亘って面取りがされている。なお、面取り部分は、目地形成材１４の側面１４ａのうち、少なくとも化粧パネル２２，２４と接触しない領域に形成する必要がある。
【００２３】
目地形成材１４の高さは、化粧パネル２２，２４の厚みよりも僅かに高くなるように設定されている（すなわち、化粧パネル２２，２４の施工時に目地形成材１４の頭部が化粧パネル２２，２４の表面から僅かに突出した状態となるように目地形成材１４の高さが設定されている）。
【００２４】
目地形成材１４の幅は、特に限定されるものではないが、目地形成材１４の目立ち難さを考慮すればできる限り幅狭に設定するのが好ましく、本実施例では約２ｍｍに設定されている。
【００２５】
なお、本実施例において目地材１０は、基礎パネル１２と目地形成材１４とが溶融一体化された１本の押出材として形成されており、基礎パネル１２と目地形成材１４とは高い接合強度をもって接続されている。
【００２６】
目地材１０を使用する際には、まず、長尺帯状の目地材１０を化粧パネル２２，２４と同じ長さに切断する。そして、下地面である壁面２０と、壁面２０に取り付けた一方の化粧パネル２２との間の隙間に目地材１０の基礎パネル１２を、その片側の側縁を先頭にして差し込み目地形成材１４の片側の側面１４ａを化粧パネル２２の端部に当接させる（図３）。
【００２７】
次に、他の化粧パネル２４の端部を目地材１０の目地形成材１４の反対側の側面１４ａに沿わせるとともに基礎パネル１２の反対側の表面に当接させる（図４）。目地形成材１４の高さは、化粧パネルの厚みよりも僅かに高く設定されているので、２枚の化粧パネル２２，２４を取り付けたときには、目地形成材１４が化粧パネル２２，２４よりも表面側に僅かに突出することとなる。なお、この僅かに突出した部分（図４の斜線部分）が突出部１４ｃである。
【００２８】
そして、図４の状態から、他の化粧パネル２４を一方の化粧パネル２２側へ向けて強く押し付け、目地形成材１４を圧縮する（図５）。上述したように、棒状の目地形成材１４はその全体が軟質樹脂によって形成されており、しかも、その基部には括れ部１４ｂが形成されている。したがって、目地形成材１４が化粧パネル２２，２４によってその両側から強く押圧されると、目地形成材１４のうち括れ部１４ｂよりも表面側の部分が化粧パネル２２，２４によって強く押圧されて均等に弾性変形する（図５の矢印参照）。そして、化粧パネル２２，２４の表面側や括れ部１４ｂに逃げようとし、化粧パネルの表面側へ僅かに突出している突出部１４ｃが左右の化粧パネル２２，２４側へ広がり、化粧パネル２２，２４の板縁を覆い隠す。
【００２９】
そして、以上の作業を全ての化粧パネルについて行うことにより、化粧パネルの施工が完了する。
【００３０】
化粧パネルの施工後において、化粧パネル２２，２４の間の隙間から現れるのは、目地材１０の目地形成材１４だけであり、その全体が軟質の合成樹脂により形成されているので、その幅を十分に狭くすることができる。
【００３１】
しかも、この棒状で軟質樹脂製の目地形成材１４は、その高さが化粧パネル２２，２４の厚みよりも僅かに高く設定されており、その基部には、括れ部１４ｂが形成されているので、目地形成材１４を化粧パネル２２，２４によってその両側から強く押圧すると、化粧パネル２２，２４によって強く押圧された部分が均等に弾性変形し、化粧パネル２２，２４の表面側へ僅かに盛り上がった突出部１４ｃが、左右の化粧パネル２２，２４側へ広がって化粧パネル２２，２４の板縁を覆い隠すことができるので、化粧パネル２２，２４と目地材１０との間に影が生じることはなく、上述した目地形成材１４の幅狭効果とも相俟って目地材１０の存在を非常に目立ち難いものとすることができる。
【００３２】
［実施例２］
図６に示す第２実施例の目地材３０は、基本的には第１実施例の目地材１０と同様であるので、共通する部分については上述の記載を援用し、異なる部分について以下に説明することとする。
【００３３】
本実施例の目地材３０は、第１実施例の目地材１０と同様、基礎パネル１２と目地形成材１４とで構成されており、目地形成材１４が、基礎パネル１２の幅方向一方端部（図６における右側端部）に設けられている。
【００３４】
本実施例では、目地形成材１４の幅方向一方端部端縁と、基礎パネル１２の幅方向一方端部端縁とが略面一となるように設定されているが、目地形成材１４の幅方向一方端部端縁が基礎パネル１２の幅方向一方端部端縁よりも僅かに外側（外方）へ突出するように形成しても良い。
【００３５】
目地材３０を使用する際には、第１実施例と同様、長尺帯状の目地材３０を化粧パネル２２と同じ長さに切断する。そして、この所定長さに切断した目地材３０を、壁の入隅部に配置する（図７）。この状態では、基礎パネル１２の底面が一方の壁面３２と当接しており、目地形成材１４の幅方向一方端部（基礎パネル１２が突出していない側）の側面１４ａが他方の壁面３４と当接している。
【００３６】
次に、化粧パネル２２の端部を、目地材３０の目地形成材１４の幅方向他方端部（基礎パネル１２が突出している側）の側面１４ａに沿わせるとともに基礎パネル１２の表面に当接させる（図８）。
【００３７】
そして、図８の状態から、化粧パネル２２を壁面３４側へ向けて強く押し付け、目地形成材１４を圧縮する（図９）。すると、目地形成材１４が壁面３４側へ若干撓んで化粧パネル２２と壁面３４とによってその両側から強く押圧され、化粧パネル２２の板縁を覆い隠す。
【００３８】
本実施例の目地材３０のように、目地形成材１４を基礎パネル１２の幅方向一方端部に設けるようにすれば、壁の入隅部に化粧パネル２２を設置する場合であっても、化粧パネル２２と壁面３４との間の僅かな隙間を埋めることができる目地材３０を提供することができるようになる。
【符号の説明】
【００３９】
１０，３０…目地材
１２…基礎パネル
１４…目地形成材
１４ａ…括れ部
２０，３２，３４…壁面
２２，２４…化粧パネル
【図１】
2012241336.tif 000003
【図２】
2012241336.tif 000004
【図３】
2012241336.tif 000005
【図４】
2012241336.tif 000006
【図５】
2012241336.tif 000007
【図６】
2012241336.tif 000008
【図７】
2012241336.tif 000009
【図８】
2012241336.tif 000010
【図９】
2012241336.tif 000011